(57)【要約】      （修正有）【課題】家屋その他の建物の窓等に設けられるロールスクリーンを洗浄対象として、設置場所付近の屋外で簡単に洗浄できるロールスクリーン洗浄装置積載車を提供する。【解決手段】ロールスクリーンをロールに巻いたシート状洗浄対象物を洗浄する洗浄装置を積載した車両であって、スクリーンの取り付け器具を除いた洗浄対象物ロール体１と洗剤１２と水１６とを導入させて、回転、摺動によってシート状洗浄対象物に付着している汚れを落とす回転可能な両端部蓋１５付パイプ状円形駆動体２と、蓋付パイプ状円形記駆動体から取り出した洗浄対象物ロール体をシート状洗浄対象物に展延して、表面を噴射により清掃できるウォータージェット機器１１付き吊し下げ立掛け作業枠と、洗浄済ロール体を乾燥させる温風乾燥装置と、洗浄液タンクと処理液回収タンク８とが車両の積み台上に適切に配置されている。【選択図】図２
0003228891.tif 000002
【実用新案登録請求の範囲】
【請求項１】
建物の窓に掛けられる幕、又は映像投影用の映写幕に使用されるロールスクリーンをロールに巻いたシート状洗浄対象物を洗浄する洗浄装置を積載した車両において、スクリーンの取り付け金具を除いた洗浄対象物ロール体を、回転可能な両端に蓋付パイプ状円形駆動体に洗剤と導入させて、回転、摺動によってシート状洗浄対象物に付着している汚れを落とす回転可能な両端部蓋付パイプ状円形駆動体と、前記蓋付パイプ状円形記駆動体から取り出した洗浄対象物ロール体をシート状洗浄対象物に展延して、表面を噴射による清掃できるウォータージェット機器付き吊し下げ立掛け作業枠と、洗浄済ロール体を乾燥させる乾燥装置と、洗浄液タンクと処理液回収タンクとを車両の積台上に効率的に配置されていることを特徴とするロールスクリーン洗浄装置積載車。
【請求項２】
車両に積載されている蓋付パイプ状円形駆動体は、スクリーンシートを巻いたロール体の汚れ付着シート表面を、パイプ状円形駆動体の回転によって洗剤液を内部に浸透させ、その回転軸と直角な方向の落下によってシート面の洗剤液の移動を容易にするように、パイプ筒状内部の表面に直径２０〜５０ｍｍの半円パイプ状バーを２〜４箇所にパイプ全長に張り付けた、直径１００〜３００ｍｍ、長さ１０００〜３０００ｍｍの樹脂製パイプで、回転速度１０〜１００回転／分で回転させて、巻かれているスクリーンシート内部に洗剤を浸透させるようになっていることを特徴とする請求項１に記載のロールスクリーン洗浄装置積載車。
【請求項３】
車両に積載されているウォータージェット器具付き立掛け作業枠は、縦１０００〜１５００ｍｍ、横１０００〜１５００ｍｍの金属製枠体であり、上部にスクリーンシートを吊し下げて、シート状平坦表面をブラシローラで撫でて、洗浄用水を高圧噴射できるウォータージェット機器にて５００ｍＬ〜１０Ｌ／分の水流によって洗浄・清掃できるようになっていることを特徴とする請求項１に記載のロールスクリーン洗浄装置積載車。
【請求項４】
ロールスクリーン洗浄装置積載車内におけるロールスクリーンのロール体の汚れ付着シート表面洗浄工程に対する蓋付パイプ状円形駆動体とウォータージェット器具付き立掛け作業枠と自然乾燥装置と洗浄液タンクと処理液回収タンクとに車台に配置して、ロールスクリーンにおけるロールに巻いたシート状洗浄対象物のスクリーン表面を洗浄する操作において、ロールスクリーンのロール体の回転、揺動、または振動可能なように蓋付パイプ状円形駆動体をロールスクリーン洗浄装置積載車の中心部に設置して、その周辺にウォータージェット器具付き立掛け作業枠と自然乾燥装置を配置して、パイプ状円形駆動体の上部に洗浄液を導入する洗浄液ボックスを取り付け、車体下部に処理液を排出するボックスを具えて、車両の積み台が４〜６平方メートルになっている車両であることを特徴とする請求項１〜請求項３のいずれかに記載のロールスクリーン洗浄装置積載車。
【考案の詳細な説明】
【技術分野】
【０００１】  本考案は、建物の窓に掛けられるロールスクリーン、映像投影用の映写幕（スクリーン）等の展延性を有する洗浄対象物の洗浄に適した洗浄装置を車両に積載しているものであり、家屋その他の建物の窓等に設けられるロールスクリーンを洗浄対象として、設置場所付近の屋外で簡単に洗浄できるロールスクリーン洗浄装置積載車に関するものである。
【背景技術】
【０００２】自動的にロールスクリーンを洗浄し、作業能率の向上と、均質な作業ができるロールスクリーンの洗浄装置並びにロールスクリーンの洗浄用車両を提供するにおいて、ロールスクリーンの洗浄装置Ａは、適宜の機枠に対し、ロールスクリーンユニットにおけるスクリーン本体を洗浄する洗浄ユニットが具えられ、この洗浄ユニットは、洗浄用車両にスクリーン本体の送り方向上流側に洗浄剤を噴出する洗浄スプレーボックスを配置し、更にその近傍に吸引ボックスを具えたものが提案されている（特許文献１参照）。【０００３】建物の室内には、窓部の遮光や室内の仕切りの目的で、カーテンやロールスクリーンなどが設けられている。使用を経るにつれ、汚れてくることから、その都度洗浄することが行われている。家事作業として家庭内で対応することができるが、カーテン等が多量に設備されている公共施設、病院、宿泊施設においては、専門の洗浄業者に作業を委ねることが多い。
ロールスクリーン、代替品の用意はほとんど無いから、その後の洗浄、更に取り付けるまでの作業を、短時間で完了させることを要求するものであり、かかる要求に応えるとなると、現場での洗浄作業が最も効率的な方法が提案されている（特許文献２参照）。【０００４】ロールスクリーン型網戸の、網の巻取り・巻戻しを行う度に自動的に清掃するために、ロールスクリーン型網戸の網巻取用ロールの近傍に、この網の表裏両側より挟むようにして外表面が粘着性を有する内外ロールを回動自在にして窓枠に支持する方法が提案されている（特許文献３参照）。【０００５】手軽に効率的にブラインドの洗浄を行うことができる装置及び方法として、対向した一対の長さ方向側壁、長さ方向側壁の対向した両端を連結するように取り付けられた一対の横断方向側壁、及び底壁によって形成された、上面が開放した矩形の受槽と、受槽の内部に、長さ方向側壁と平行に等間隔に配置されたＮ個の隔壁と、隔壁によって形成される空間が連通するように、隔壁に配置された小孔と、側壁の所定箇所に設けられたプラグ付き排水口とを備えているブラインド洗浄装置が提供される（特許文献４参照）。【０００６】  また、建物の室内には、窓部の遮光や室内の仕切りの目的で、カーテンやブラインドが一般であって、そのブラインドの洗浄装置が通常である。最近はロールスクリーンが採用されており、洗浄装置が期待されている。ロールスクリーンの洗浄装置は、ロールスクリーンのシートをブラシで擦り洗いする洗浄装置はあるが、ブラシによる擦り洗いの際、羽板の端部を捲り上げて羽板を損傷させてしまう虞があった。また現場で即座に洗浄を期待することが多い。車両に積載するものも存在するが、煩雑で時間を要する。
【先行技術文献】
【特許文献】
【０００７】
【特許文献１】特開２０１０−４２３６６号公報
【特許文献２】特許第３５９３５７１号公報
【特許文献３】実開平６−２８１９３号公報
【特許文献４】特開２０１３−２４４１４９号公報
【考案の概要】
【考案が解決しようとする課題】
【０００８】  ロールスクリーンは、時間が経過するにつれて、スクリーンの表面に塵や異物等が付着するため、清掃する必要が生じてくるが、ロールスクリーンは、取り付け状態でその構造上、清掃しにくい物品である。すなわち、清掃すべきロールスクリーンの両面を、傷つきやすく、清掃時に切断するおそれもある。また、特に一般家庭においてロールスクリーンを清掃する際には、ロールスクリーンを窓から外して台上に置くなどして作業を行うため、長時間を要する重労働となってしまう。また依頼者は短期間に洗浄を現場で行ってもらいたい意向である。【０００９】  本考案は、このような状況に鑑みて開発されたものであって、手軽に効率的にロールスクリーンの清掃すなわち洗浄を行うことができるロールスクリーン洗浄装置及び該装置を車両に積載して使用現場で迅速にロールスクリーン洗浄する装置が期待されている。現場で洗浄できる装置、すなわち車両積載の装置を提供することを目的としている。【００１０】  そこで、上述の事情に鑑み、車両積載の装置は、軽量でコンパクトであって、作業効率がよく、洗浄対象物を損傷させずに短時間に洗浄可能な洗浄装置を車両に積載させているものを提供することを課題としている。これらの種々の背景を考慮してなされたものであって、ほぼ自動的にロールスクリーンを洗浄し、作業能率の向上と、均質な作業ができるロールスクリーンの洗浄用車両の開発を試みたものである。
【課題を解決するための手段】
【００１１】  建物の窓に掛けられる幕、又は映像投影用の映写幕に使用されるロールスクリーンをロールに巻いたシート状洗浄対象物を洗浄する洗浄装置を積載した車両において、スクリーンの取り付け器具を除いた洗浄対象物ロール体と洗剤液と導入させて、回転、摺動によってシート状洗浄対象物に付着している汚れを落とす回転可能な両端部蓋付パイプ状円形駆動体と、前記蓋付パイプ状円形記駆動体から取り出した洗浄対象物ロール体をシート状洗浄対象物に展延して、表面を噴射による清掃できるウォータージェット機器付き吊し下げ立掛け作業枠と、洗浄済ロール体を乾燥させる温風乾燥装置と、洗浄液タンクと処理液回収タンクとを車両の積み台上に適切に配置されているロールスクリーン洗浄装置積載車である。【００１２】車両に積載されている蓋付パイプ状円形駆動体は、スクリーンシートを巻いたロール体の汚れ付着シート表面を、パイプ状円形駆動体の回転によって洗剤液を内部に浸透させ、その回転軸と直角な方向の落下によってシート面の洗剤液の移動を容易にするように、パイプ内部の表面に直径２０〜５０ｍｍの半円パイプ状バーを２〜４箇所にパイプ全長に張り付けた、直径１００〜３００ｍｍ、長さ１０００〜３０００ｍｍの樹脂製パイプで、回転速度を１０〜１００回転／分で回転している。【００１３】車両に積載されているウォータージェット器具付き立掛け作業枠は、縦１０００〜１５００ｍｍ、横１０００〜２０００ｍｍの金属製枠体であり、上部にスクリーンシートを吊し下げて、シート状平坦表面をブラシローラで撫でて、洗浄用水を高圧噴射できるウォータージェット機器にて５００ｍＬ〜１０Ｌ／分の水流によって清掃できるようになっている。【００１４】ロールスクリーン洗浄装置積載車内におけるロールスクリーンのロール体の汚れ付着シート表面洗浄工程に対する蓋付パイプ状円形駆動体とウォータージェット器具付き立掛け作業枠と温風乾燥装置と洗浄液タンクと処理液回収タンクとに車台に配置して、ロールスクリーンにおけるロールに巻いたシート状洗浄対象物のスクリーン表面を洗浄する操作において、ロールスクリーンのロール体の回転、揺動、または振動可能なように蓋付パイプ状円形駆動体をロールスクリーン洗浄装置積載車の中心部に設置して、その周辺にウォータージェット器具付き立掛け作業枠と温風乾燥装置を配置して、パイプ状円形駆動体の上部に洗浄液を導入する洗浄液ボックスを取り付け、車体下部に処理液を吸引するボックスを具えて、車両の積み台が４〜６平方メートルになっている車両である。
【考案の効果】
【００１５】  本考案によれば、ロールスクリーン洗浄装置積載車は、ロールスクリーンを使用している現場で洗浄が可能であり、車両には汚れを落とす工程においてパイプ状円形駆動体が、洗浄対象物のロール体に接しながらその回転軸を中心に回転・摺動されて、パイプ状円形駆動体の回転によって洗剤液を内部に浸透させると共に、その回転軸と直角な方向の落下によって洗剤液の移動を容易にし、合理的に洗浄作業が行うことができる。洗浄でほぼ脱水状態にあるロールスクリーンを乾燥装置で乾燥させる。優れた作業性と、均一な表面の均一処理が可能となる。短時間に簡潔にスクリーンシート表面を洗浄と乾燥して、確実なスクリーン清掃と乾燥が行うことができる。【００１６】  このような特徴を有するため、本考案によるにロールスクリーン洗浄装置積載車おいては、常に洗浄対象物を通常の洗濯機のように回転状態で洗浄するようにすることにより、洗浄対象物のスクリーン表面を損傷させることなく洗浄対象物を洗浄することができる。車両に積載している洗浄装置及び洗浄方法によれば、短時間に現場で手を汚すことなく、手軽にかつ効率的にロールスクリーンを洗浄することが可能となる。
【図面の簡単な説明】
【００１７】
【図１】本考案によるロールスクリーン洗浄装置積載車の全体の斜視図である。
【図２】本考案によるロールスクリーン洗浄装置積載車で、回転可能なパイプ状円形駆動体に洗浄対象物を入れて、駆動させている状態を示した斜視図である。
【図３】本考案によるロールスクリーン洗浄装置積載車のパイプ状円形駆動体内面と洗浄状態を少し模式的に表した図面である。
【図４】本考案によるロールスクリーン洗浄装置積載車の車内でウォータージェット噴射による清掃する状態を示した図である。
【図５】本考案によるロールスクリーン洗浄装置積載車の車内で乾燥して仕上げる状態を示した図である。
【考案を実施するための形態】
【００１８】  以下に本考案による洗浄装置の一実施例について、図１に本考案によるロールスクリーン洗浄装置の全体の斜視図である。図２に本考案によるロールスクリーン洗浄装置の一部、主に洗浄対象物を擦り洗いする回転可能なパイプ状円形駆動体を示した斜視図である。図３に本考案による洗浄装置のパイプ状円形駆動体内面と洗浄状態を少し模式的に表した面である。図４に本考案による洗浄装置の噴射による清掃する工程を示した図である。添付の図１〜４を参照しつつ説明する。
【実施例１】
【００１９】  図１に示すように、建物の窓に掛けられる幕に使用されるロールスクリーンをロールに巻いたシート状洗浄対象物を洗浄する洗浄装置を積載した１．２５トン乗用車型車両において、スクリーンの取り付け器具を除いた洗浄対象物ロール体と洗剤液と導入させて、回転、摺動によってシート状洗浄対象物に付着している汚れを落とす回転可能な両端部蓋付パイプ状円形駆動体と、前記蓋付パイプ状円形記駆動体から取り出した洗浄対象物ロール体をシート状洗浄対象物に展延して、表面を噴射による清掃できるウォータージェット機器付き吊し下げ立掛け作業枠と、洗浄済ロール体を自然乾燥装置と、洗浄液タンクと処理液回収タンクとを車両の積み台上に適切に配置されているロールスクリーン洗浄装置積載車であった。【００２０】１．２５トン乗用車型車両に積載されている蓋付パイプ状円形駆動体において、図２に示すように汚れのついたスクリーンシートを巻いたロール体をパイプ内に２本入れて、スクリーンの汚れ付着シート表面を、パイプ状円形駆動体の回転によって洗剤液を内部に浸透させ、図３に示すようにその回転軸と直角な方向の落下によってシート面の洗剤液の移動を容易にするように、パイプ内部の表面に直径２５ｍｍの半円パイプ状バーを３箇所にパイプ全長に張り付けた、直径２００ｍｍ、長さ１５０００ｍｍの塩ビ製樹脂パイプで、回転速度を１０〜１００回転／分の範囲で初期は遅く、最後には早く回転させるようにした。【００２１】ロールスクリーンの洗浄が、図４に示すように車両に積載されているウォータージェット器具付き立掛け作業枠は、縦１０００ｍｍ、横１０００ｍｍの金属製枠体であり、上部にスクリーンシートを吊し下げて、シート状平坦表面をブラシローラなどで撫で、洗浄用水を高圧噴射できるウォータージェット機器にて５００ｍＬ／分の水流によって清掃した。【００２２】ロールスクリーン洗浄装置積載車内におけるロールスクリーンのロール体の汚れ付着シート表面洗浄工程に対する蓋付パイプ状円形駆動体とウォータージェット器具付き立掛け作業枠と温風乾燥装置と洗浄液タンクと処理液回収タンクとに車台に配置して、ロールスクリーンにおけるロールに巻いたシート状洗浄対象物のスクリーン表面を洗浄する操作において、ロールスクリーンのロール体の回転、揺動、または振動可能なように蓋付パイプ状円形駆動体をロールスクリーン洗浄装置積載車の中心部に設置して、その周辺にウォータージェット器具付き立掛け作業枠と温風乾燥装置を配置して、パイプ状円形駆動体の上部に洗浄液を導入する洗浄液ボックスを取り付け、車体下部に処理液を吸引するボックスを具えて、車両の積み台が４平方メートルになっている１．２５トン乗用車型車両であった。
【実施例２】
【００２３】実施例１と同様に、建物の窓に掛けられる幕に使用されるロールスクリーンをロールに巻いたシート状洗浄対象物を洗浄する洗浄装置を積載した乗用車用屋根付き車両において、スクリーンの取り付け器具を除いた洗浄対象物ロール体と洗剤液と導入させて、回転、摺動によってシート状洗浄対象物に付着している汚れを落とす回転可能な両端部蓋付パイプ状円形駆動体と、前記蓋付パイプ状円形記駆動体から取り出した洗浄対象物ロール体をシート状洗浄対象物に展延して、表面を噴射による清掃できるウォータージェット機器付き吊し下げ立掛け作業枠と、洗浄済ロール体を乾燥させる温風乾燥装置と、洗浄液タンクと処理液回収タンクとを車両の積み台上に適切に配置されているロールスクリーン洗浄装置積載車であった。【００２４】車両に積載されている蓋付パイプ状円形駆動体は、スクリーンシートを巻いたロール体の汚れ付着シート表面を、パイプ状円形駆動体の回転によって洗剤液を内部に浸透させ、その回転軸と直角な方向の落下によってシート面の洗剤液の移動を容易にするように、パイプ内部の表面に直径３０ｍｍの半円パイプ状バーを３箇所にパイプ全長に張り付けた、直径２００ｍｍ、長さ１５００ｍｍの樹脂製パイプで、回転速度を１０〜１００回転／分で回転させた。【００２５】車両に積載されているウォータージェット器具付き立掛け作業枠は、縦１０００ｍｍ、横１０００ｍｍの金属製枠体であり、上部にスクリーンシートを吊し下げて、シート状平坦表面をブラシローラで撫でて、洗浄用水を高圧噴射できるウォータージェット機器にて５００ｍＬ〜１０Ｌ／分範囲の水流によって清掃できるようにした。【００２６】ロールスクリーン洗浄装置積載車内におけるロールスクリーンのロール体の汚れ付着シート表面洗浄工程に対する蓋付パイプ状円形駆動体とウォータージェット器具付き立掛け作業枠と温風乾燥装置と洗浄液タンクと処理液回収タンクとに車台に配置して、ロールスクリーンにおけるロールに巻いたシート状洗浄対象物のスクリーン表面を洗浄する操作において、ロールスクリーンのロール体の回転、揺動、または振動可能なように蓋付パイプ状円形駆動体をロールスクリーン洗浄装置積載車の中心部に設置して、その周辺にウォータージェット器具付き立掛け作業枠と温風乾燥装置を配置して、パイプ状円形駆動体の上部に洗浄液を導入する洗浄液ボックスを取り付け、車体下部に処理液を吸引するボックスを具えて、車両の積み台が５平方メートルになっている車両であった。
【符号の説明】
【００２７】Ｍ    ロールスクリーン洗浄装置積載車
１    ロールスクリーン（ロール体）
２    パイプ状円形駆動体
３    洗浄対象物ロール体
４    シート状洗浄物
５    半円パイプ状バー
６    洗浄液
８    廃液タンク
９    ブラシローラ
１０  電動モータ
１１  ウォータージェット
１２  洗剤
１３  回転軸
１４  圧力調整コック
１５  蓋
１６  水
１７  排水口
１８  電動ポンプ
１９  掛け金具
２０  排水口
２１  立掛け作業枠
２２  シート状平坦面
２３  自動車
【図１】
0003228891.tif 000003
【図２】
0003228891.tif 000004
【図３】
0003228891.tif 000005
【図４】
0003228891.tif 000006
【図５】
0003228891.tif 000007
【手続補正書】
【提出日】令和2年7月20日(2020.7.20)
【手続補正１】
【補正対象書類名】実用新案登録請求の範囲
【補正対象項目名】全文
【補正方法】変更
【補正の内容】
【実用新案登録請求の範囲】
【請求項１】
建物の窓に掛けられる幕、又は映像投影用の映写幕に使用されるロールスクリーンをロールに巻いたシート状洗浄対象物を洗浄する洗浄装置を積載した車両において、スクリーンの取り付け金具を除いた洗浄対象物ロール体を、回転可能な両端に蓋付パイプ状円形駆動体に洗剤と導入させて、回転、摺動によってシート状洗浄対象物に付着している汚れを落とす回転可能な両端部蓋付パイプ状円形駆動体と、前記蓋付パイプ状円形記駆動体から取り出した洗浄対象物ロール体をシート状洗浄対象物に展延して、表面を噴射による清掃できるウォータージェット機器付き吊し下げ立掛け作業枠と、洗浄済ロール体を乾燥させる乾燥装置と、洗浄液タンクと処理液回収タンクとを効率的に操作できるように４〜６平方メートルの面積を持つ車両の積台上に配置されていることを特徴とするロールスクリーン洗浄装置積載車。
【請求項２】
車両に積載されている蓋付パイプ状円形駆動体は、スクリーンシートを巻いたロール体の汚れ付着シート表面を、パイプ状円形駆動体の回転によって洗剤液を内部に浸透させ、その回転軸と直角な方向の落下によってシート面の洗剤液の移動を容易にするように、パイプ筒状内部の表面に直径１０〜３０ｍｍの半円パイプ状バーを２〜４箇所にパイプ全長に張り付けた、直径１００〜２００ｍｍ、長さ１０００〜１５００ｍｍの樹脂製パイプで、回転速度３〜３０回転／分で回転させて、ロール体の揺動または振動によるロール状スクリーンシート内部に洗剤を浸透させて、洗浄を高める構造になっていることを特徴とする請求項１に記載のロールスクリーン洗浄装置積載車。
【請求項３】
ロール体をシート状にした平坦表面をブラシローラで撫でて、５００ｍＬ〜１０Ｌ／分の洗浄用水を高圧噴射できるウォータージェット機器によって洗浄・清掃できるように  車両に積載されているウォータージェット器具付き立掛け作業枠は、縦１０００〜１５００ｍｍ、横１０００〜１５００ｍｍの金属製角形枠体で、上部からスクリーンのシートを吊し下げて処理できる構造になっていることを特徴とする請求項１に記載のロールスクリーン洗浄装置積載車。
【請求項４】
ロールスクリーン洗浄装置積載車内におけるロールスクリーンのロール体の汚れ付着シート表面洗浄操作に対する蓋付パイプ状円形駆動体とウォータージェット器具付き立掛け作業枠と自然乾燥装置と洗浄液タンクと処理液回収タンクとを配置できる面積を持つ車両の積載台を所有して、ロールスクリーンにおけるロールに巻いたシート状洗浄対象物のスクリーン表面を洗浄する操作において、ロールスクリーンのロール体の回転、揺動、振動の駆動を可能になるようにロールスクリーン洗浄装置である蓋付パイプ状円形駆動体を積載車の中心部に設置して、その周辺にウォータージェット器具付き立掛け作業枠と自然乾燥装置を配置して、パイプ状円形駆動体での導入口の上部に洗浄液を注入する洗浄液ボックスを取り付け、駆動体の下部に処理液を排出するボックスを具することができて、車両の積載台が４〜６平方メートル面積のスペースで種々機器を設置できる車両であることを特徴とする請求項１〜請求項３のいずれかに記載のロールスクリーン洗浄装置積載車。